(57)【要約】【課題】走行時や方向転換時のバランスが良く、本体の転倒を防止すると共に本体を軽々と引き回し出来る、軽労働で使い勝手のよい電気掃除機を提供すること。【解決手段】電気掃除機本体１の底面を略円形とし、底面の略同一円周上に３個の走行キャスターを設け、前記３個の内の１個の走行キャスターの上方に集塵室２を、残り２個の走行キャスターの上方に電動送風機３を、それぞれ配設したもので、３個の走行キャスター１１にほぼ均等に電気掃除機本体１の重量が分散して加わるため、電気掃除機本体１の重量バランスが良くなり、走行時や方向転換時のバランスも良くなり、電気掃除機本体１の転倒を防止すると共に電気掃除機の移動・引き回し力を軽減でき、軽労働で使い勝手のよい電気掃除機を提供できるようになる。【選択図】図２
2009056218.tif 000002
【特許請求の範囲】
【請求項１】
上流側に設けた配設した集塵室と下流側に配設した電動送風機とを有する電気掃除機本体の底面を略円形とし、前記底面の略同一円周上に、その各中心を結ぶ線が略２等辺三角形となり且つ前記略同一円周の円周中心が前記略２等辺三角形の内側に位置するように３個の走行キャスターを設け、その中心が前記略２等辺三角形の頂点を構成する走行キャスターの上方に集塵室を配設すると共に、前記３個の走行キャスターはその走行の向きを３６０度回転自在とした電気掃除機。
【請求項２】
上流側に設けた配設した集塵室と下流側に配設した電動送風機とを有する電気掃除機本体の底面を略円形とし、前記底面の略同一円周上に、その各中心を結ぶ線が略２等辺三角形となり且つ前記略同一円周の円周中心が前記略２等辺三角形の内側に位置するように３個の走行キャスターを設け、その中心が前記略２等辺三角形の頂点を構成する走行キャスターの上方に集塵室およびホース接続部を配設すると共に、前記３個の走行キャスターはその走行の向きを３６０度回転自在とした電気掃除機。
【請求項３】
電気掃除機本体の底面の略円形中心と、３個の走行キャスターが略同一円周上に設けられたその円周中心とを、同一とした請求項１または２に記載の電気掃除機。
【発明の詳細な説明】
【技術分野】
【０００１】
本発明は、掃除機本体に走行手段を有する電気掃除機に関するものである。
【背景技術】
【０００２】
従来の電気掃除機について、図５を用いて説明する。
【０００３】
従来の電気掃除機は、掃除機本体３０の前方底部に設けた回転自在の走行キャスター３１と後部の走行ローラー３２によって使用者が本体を移動する構成になっており、３３はホース、３４が延長管、３５は吸引ノズルで吸引ノズル３５で吸引された塵埃は延長管３４、ホース３３を介して電気掃除機本体３０の集塵室に集塵される構成になっている（例えば、特許文献１参照）。
【特許文献１】特開昭６３―４９１１８号公報
【発明の開示】
【発明が解決しようとする課題】
【０００４】
しかしながら上記構成では、本体３０の前方に走行キャスター３１、後方に走行ローラー３２を用いた電気掃除機が主であるが、直進性とある程度の方向転換性は確保されるものの、本体３０を据置かれたままでの方向転換や家具などの角に本体３０が当り急激に本体３０の向きを変えた時等に後方の走行ローラー３２が横滑りして床面を傷付ける又は、抵抗で操作が非常に重く無理に引っ張るとバランスを崩して本体３０が横転するという課題があった。
【０００５】
本発明は上記課題を解決するもので、走行時や方向転換時のバランスが良く本体の転倒を防止すると共に、本体を軽々引き回し出来る軽労働の使い勝手のよい電気掃除機を提供することを目的とする。
【課題を解決するための手段】
【０００６】
前記従来の課題を解決するために本発明は、上流側に設けた配設した集塵室と下流側に配設した電動送風機とを有する電気掃除機本体の底面を略円形とし、前記底面の略同一円周上に、その各中心を結ぶ線が略２等辺三角形となり且つ前記略同一円周の円周中心が前記略２等辺三角形の内側に位置するように３個の走行キャスターを設け、その中心が前記略２等辺三角形の頂点を構成する走行キャスターの上方に集塵室を配設すると共に、前記３個の走行キャスターはその走行の向きを３６０度回転自在としたもので、重量物である電動送風機を２個の走行キャスターで支持している為、３個の走行キャスターに、ほぼ均等に本体重量が分散して加わり、重量バランスが良く、走行時の直進安定性が向上すると共に、方向転換もバランス良く行なえ、本体の転倒防止と軽い力で引き回すことを可能にできるものである。
【発明の効果】
【０００７】
本発明の電気掃除機は、本体の重量バランスが良く、走行時や方向転換時のバランスが良く、本体の転倒を防止すると共に本体を軽々と引き回しが出来、軽労働で使い勝手を向上できる。
【発明を実施するための最良の形態】
【０００８】
第１の発明は、上流側に設けた配設した集塵室と下流側に配設した電動送風機とを有する電気掃除機本体の底面を略円形とし、前記底面の略同一円周上に、その各中心を結ぶ線が略２等辺三角形となり且つ前記略同一円周の円周中心が前記略２等辺三角形の内側に位置するように３個の走行キャスターを設け、その中心が前記略２等辺三角形の頂点を構成する走行キャスターの上方に集塵室を配設すると共に、前記３個の走行キャスターはその走行の向きを３６０度回転自在としたものであり、重量物である電動送風機を２個の走行キャスターで支持している為、３個の走行キャスターにほぼ均等に本体重量が分散してかかり、重量バランスが良く、走行時のバランスが非常に良く、直進安定性が向上すると共に、方向転換もバランス良く行なえ、本体の転倒防止と軽い力で引き回すことを可能にした電気掃除機が提供できるものである。
【０００９】
第２の発明は、上流側に設けた配設した集塵室と下流側に配設した電動送風機とを有する電気掃除機本体の底面を略円形とし、前記底面の略同一円周上に、その各中心を結ぶ線が略２等辺三角形となり且つ前記略同一円周の円周中心が前記略２等辺三角形の内側に位置するように３個の走行キャスターを設け、その中心が前記略２等辺三角形の頂点を構成する走行キャスターの上方に集塵室およびホース接続部を配設すると共に、前記３個の走行キャスターはその走行の向きを３６０度回転自在としたものであり、重量物である電動送風機を２個の走行キャスターで支持している為、３個の走行キャスターにほぼ均等に本体重量が分散してかかり重量バランスが良く、走行時の直進安定性が向上すると共に、方向転換もバランス良く行なえ、本体の転倒防止と軽い力で引き回すことが可能になるものである。また本体の進行方向で本体前方のホース接続部を有する集塵室を１個の走行キャスターで支持したことにより、前方の１個の走行キャスターに直進、方向転換を主に行わせることで、直進安定性と方向転換性を更に向上させることが出来、非常に軽い力で本体を引き回すことを可能にしたものである。
【００１０】
第３の発明は、第１または第２の発明の電気掃除機本体の底面の略円形中心と、３個の走行キャスターが略同一円周上に設けられたその円周中心とを、同一としたもので、更に３個の走行キャスターにかかる本体の重量バランスは向上し、更に本体の転倒防止と軽い力で引き回すことを可能にしたものである。
【００１１】
以下、本発明の実施の形態について、図面を参照しながら説明する。なお、この実施の形態によりこの発明が限定されるものではない。
【００１２】
（実施の形態１）
本発明の第１の実施の形態について、図１から図３を用いて説明する。
【００１３】
図１は第１の実施の形態における電気掃除機の全体側面図である。図１から図３において、１は、略円形状を成す電気掃除機本体（以下、「本体」と称す）で吸引風を発生させる電動送風機３と、電動送風機３の吸引風の上流側には紙袋などを収納するための集塵室２が設けてある。前記集塵室２にはホース５が接続されるホース接続部４を有し、前記ホース接続部４は、ホース５、集塵室２、電動送風機３へと流れる吸引風の通路を形成する本体１の前部に位置しており、使用者がホース５を引っ張ることから本体１の進行方向となる。
【００１４】
また本体１の底面の外周には３個の走行キャスター１１が略同一円周上に配設されており、前記３個の走行キャスターの各中心を結ぶ線が略２等辺三角形を形成し、前記略同一円周の円周中心が前記２等辺三角形の内側に位置すると共に、前記本体１の底面の略円形中心と前記略同一円周上に設けた３個の走行キャスターの円周中心とが同一となるように構成されている。
【００１５】
また３個の走行キャスター１１の内、略２等辺三角形の頂点を構成する走行キャスター１１の真上には、ホース接続部４を有する集塵室２の一部が配設され、残りの２個の走行キャスター１１は、前記電動送風機３の下方で本体１の後部左右に配設されている。走行キャスター１１は、ローラー８の走行方向が３６０度どの方向でも向くよう軸受１４にて回動自在に設置してある。１５は、走行キャスター１１のカバー体で走行キャスター１１の保持部１２及びローラー８を覆いローラー８の径方向の外部への露出寸法が２ｍｍ以下となるよう構成されている。また、走行キャスター１１のローラー軸７部にはメタル軸受１３を有している。
【００１６】
以上のように構成された電気掃除機について、以下その動作、作用を説明する。
【００１７】
本体１が掃除中に床面に据置かれたまま方向転換されたり、家具などの角に本体１が当り急激に本体１の向きを変えられた時でも略円形の本体１の底面に円周状に３個の走行キャスター１１を備え、同１個の走行キャスター１１の略上部に集塵室２、残り２個の走行キャスター１１の略上部に電動送風機３を配設した構成により重量物である電動送風機３を２個の走行キャスター１１で支持している為、３個の走行キャスター１１にほぼ均等に本体重量が分散してかかり重量バランスが良く、走行時のバランスが非常に良く、直進安定性が向上すると共に、方向転換もバランス良く行なえ、本体１の転倒防止と軽い力で引き回すことを可能にしたものである。
【００１８】
また、本体１の底面の略円形中心と、円周状に設けた３個の走行キャスター１１の円周中心とを略同一としたことにより、更に３個の走行キャスター１１にかかる本体の重量バランスは向上し、更に本体１の転倒防止と軽い力で引き回すことを可能にしたものである。
【００１９】
また本実施の形態では、さらに、本体１の進行方向で本体１前方の接続パイプ部４を有する集塵室２を１個の走行キャスター１１で支持したことにより、前方の１個の走行キャスター１１に直進、方向転換を主に行わせることで、直進安定性と方向転換性を更に向上させることが出来、非常に軽い力で本体１を引き回すことを可能にしたものである。
【００２０】
また、走行キャスター１１の保持部１２及びローラー８を覆うカバー体１５が、ローラー８の径方向の外部への露出寸法が２ｍｍ以下となるよう構成されていることにより床面の段差や自身の電源コード１６等の障害物への引掛り防止及び段差乗り越し、すり抜け性を良くし、軽い力で本体を引き回すことを可能にしたものである。ローラー８の径方向の外部への露出寸法が２ｍｍ以下とは、つまりは回転体の露出が必要最小限度であるということであり、電源コード１６等の障害物は、カバー体１５の傾斜面に沿って移動し回転体であるローラー８にぶつかったとしてもローラー８の外部への露出寸法が２ｍｍ以下と最小限度である為引っ掛かることなく容易に乗り越してしまう。
【００２１】
また、本体１の底面の円周状に３個の走行キャスター１１を配設したことより床面に接する走行キャスター１１を円周状最小の３点で本体１を支持することにより床面との接触抵抗を最小限に抑えることができ、軽い力で引き回すことを可能にしたものである。
【００２２】
また、走行キャスター１１の軸受け１４及び軸受け１３をメタル軸受けとしたことにより走行キャスター１１の軸受け部の回転抵抗が軽減され回動性及び回転性が向上し、更に軽い力で本体１を引き回すことを可能にしたものである。メタル軸受けに限らずボールベアリング等でも良いことは言うまでもないことである。
【００２３】
尚、底面が略円形状の本体１を底面側から見て、吸気上流側の半円内にホース接続部を有した集塵室が配設され、吸気下流側の半円内に電動送風機が配設されていれば、より一層、本体１の重量バランスが良くなって、走行時のバランスも良くなり、直進安定性がさらに向上すると共に、方向転換もさらにバランス良く行なえるものである。
【００２４】
（実施の形態２）
本発明の第２の実施の形態について、図４を用いて説明する。なお、実施の形態１と同一部分については同一符号を付与してその説明を省略する。
【００２５】
図４においてローラー８と保持部１２からなる走行キャスター１１の保持部１２と同走行キャスター１１のカバー体２５を兼ねたものであり、それにより走行キャスター１１用のカバー体１５を別途設ける必要が無く、部品点数を削減することが出来るようにしたものである。
【産業上の利用可能性】
【００２６】
以上のように、本発明にかかる電気掃除機は、本体の重量バランスが良く、走行時や方向転換時の本体バランスを保ち本体の転倒を防止すると共に、本体を軽々と引き回し出来るため、家庭、業務用等の電気掃除機に幅広く応用できる。
【図面の簡単な説明】
【００２７】
【図１】本発明の実施の形態１を示す電気掃除機の全体側面図
【図２】同、電気掃除機の底面図
【図３】（ａ）同電源コードを乗越える状態を示した走行キャスター部まわりの側面図（ｂ）同、走行キャスター部まわりの底面図
【図４】（ａ）本発明の実施の形態２を示す電源コードを乗越える状態を示した走行キャスター部まわりの側面図（ｂ）同、走行キャスター部まわりの底面図
【図５】従来の電気掃除機の概略構成図
【符号の説明】
【００２８】
１    電気掃除機本体
２    集塵室
３    電動送風機
４    ホース接続部
５    ホース
１１  走行キャスター
１２  保持部
１３  軸受け（回動部）
１４  軸受け（ローラー軸部）
１５  カバー体
【図１】
2009056218.tif 000003
【図２】
2009056218.tif 000004
【図３】
2009056218.tif 000005
【図４】
2009056218.tif 000006
【図５】
2009056218.tif 000007